(57)【特許請求の範囲】
【請求項１】
標的に取外し可能に結合する標的用の矢において、
該矢の先端と後端との間で相対的に移動する少なくとも２つの矢部材と、
それらの矢部材の先端に設けられていてそれらの矢部材を前記標的に取外し可能に結合する結合部材と、
前記矢部材のいずれか１つを前記矢の後方へ引っ張る引張り部材と
を有することを特徴とする標的用の矢。
【請求項２】
請求項１記載の標的用の矢において、前記結合部材は、多数の引掛け用毛状部材を面状に配列した引掛け面と、それらの引掛け用毛状部材が引掛かる多数の受け用毛状部材を面状に配列した受け面とを有する面ファスナーのうちの引掛け面又は受け面であることを特徴とする標的用の矢。
【請求項３】
請求項１記載の標的用の矢において、前記結合部材は、磁石とそれに吸着する磁性材料とを有する磁性留め具のうちの磁石又は磁性材料であることを特徴とする標的用の矢。
【請求項４】
後方に引っ張る引張り部材を有する矢と、該矢が取り外し可能に結合する標的とを有する標的装置において、
前記標的は、前記矢が結合する矢結合面を有し、
前記矢結合面は前記矢が前記引張り部材によって後方に引かれたときにその方向に傾斜移動可能であることを特徴とする標的装置。
【請求項５】
請求項４記載の標的装置において、
前記標的は、矢結合面を非傾斜状態に保持する矢結合面保持手段を有することを特徴とする標的装置。
【請求項６】
標的と、それに取外し可能に結合する矢とを有する標的装置において、
前記標的は、前記矢が結合する矢結合面を有し、該矢結合面は傾斜移動可能であり、
前記矢は、該矢の先端と後端との間で相対的に移動する少なくとも２つの矢部材と、
それらの矢部材の先端に設けられていてそれらの矢部材を標的に取外し可能に結合する結合部材と、
前記矢部材のいずれか１つを前記矢の後端方向へ引っ張る引張り部材と
を有することを特徴とする標的用の標的装置。
【発明の詳細な説明】
【０００１】
【発明の属する技術分野】
本発明は、標的に取り外し可能に結合する矢、矢が結合する標的及び標的と矢とによって構成される標的装置に関する。
【０００２】
【従来の技術】
矢と標的とから成る標的装置は、従来より、種々知られている。例えば、当選番号を決めるために用いられる抽選装置や、矢を標的の高得点位置に当てることができるか否かを競うダーツゲーム等が知られている。例えば、実開平２−８２３７０号公報によれば、先端に吸盤を備えた矢を用いてダーツゲームを行うという技術が開示されている。
【０００３】
しかしながら、ここに開示された矢は、単に、吸盤によって標的に吸着するだけであり、これを標的から取り外すことに関しては何も触れられていない。ダーツゲームを含めて矢を標的に当てて吸着させることを内容とする装置は、矢を標的に当てることが主目的であって、通常、一旦標的に吸着した矢をどのようにして標的から外せばよいかということについては考慮が払われていない。
【０００４】
本発明者は、標的に矢を結合させることに関して従来の技術を種々調べた。そしてその結果、両者を結合するための留め具として、吸盤を用いた留め具以外に、いわゆるマジックテープ（商標名）等とも呼ばれる面ファスナーや、磁石吸着力を利用した磁性留め具を用いて矢を標的に結合させる技術も見られた。しかしながら、いずれの従来技術においても、標的に固着した矢を取り外すための装置に関する技術は見い出すことができなかった。
【０００５】
一般に、吸着力の強い留め具を用いれば、これが一旦標的に吸着するとプレイヤがこれを取り外すことはなかなか難しい。これに対し、吸着力の弱い留め具を用いれば取り外しが容易になって便利であると考えられるが、その場合には、留め具が標的から外れ易いという問題が生じる。特に、標的が回転する場合には、吸着力の弱い留め具は容易に外れてしまって使用に耐えられないことが考えられる。
【０００６】
【発明が解決しようとする課題】
本発明は、上記の問題点に鑑みてなされたものであって、標的に対する矢の結合力を強く設定した場合でも、矢を標的から容易に取り外すことができるようにすることを目的とする。
【０００７】
【課題を解決するための手段】
上記の目的を達成するため、本発明に係る標的用の矢は、矢の先端と後端との間で相対的に移動する少なくとも２つの矢部材と、それらの矢部材の先端に設けられていてそれらの矢部材を標的に取外し可能に結合する結合部材と、上記矢部材のいずれか１つを矢の後方へ引っ張る引張り部材とを有することを特徴とする。
【０００８】
一般に、２つの物体を取り外し可能に結合させるための留め具としては種々のものが考えられる。例えば、多数の引掛け用毛状部材を面状に配列した引掛け面と、それらの引掛け用毛状部材が引掛かる多数の受け用毛状部材を面状に配列した受け面とによって構成される面ファスナーが考えられる。この面ファスナーはマジックテープ（商標名）等と称されることもある。また、磁石とそれに吸着する磁性材料とを用いて構成される磁性留め具も考えられる。また、吸盤とそれが吸着可能な吸着面とを用いて構成される吸盤留め具も考えられる。本発明において矢部材の先端に設けられる結合部材は、上記の面ファスナー、磁性留め具又は吸盤留め具等の各種留め具を構成する一対の要素のうちのいずれか一方によって構成できる。
引張り部材は、例えば、繊維、金属、樹脂その他任意の材料によって構成される紐状部材によって構成できる。
【０００９】
上記の矢によれば、矢を標的に向けて投げる、走行体に乗せて移動させる等して矢を標的に当てると、各矢部材の先端に設けた結合部材が標的に結合して矢が標的に固着する。一般に標的には、数字や絵柄等によって区分けされた複数の領域が設定されており、それらの領域のうちのいずれに矢が固着したかによって、数字や絵柄等が抽選される。抽選が終わって矢を標的から取り外すときには、引張り部材を引っ張って一方の矢部材を後方へ引く。
【００１０】
すると、標的に固着している各矢部材のうち引張り部材によって引かれた一方の矢部材が、まず、標的から引き剥がされる。その後、引き剥がされた矢部材を引張り部材によってさらに引き続ければ、その一方の矢部材によって他方の矢部材が後方へ引っ張られ、その結果、その他方の矢部材も標的から引き剥がされ、これにより、矢の全体が標的から取り外される。このように本発明の矢によれば、標的と矢との間の面状の結合面を少なくとも２つの小面積領域に分割し、それらの小面積部分を標的から段階的に引き剥がすようにした。この結果、矢が標的に強固に結合する場合でもその矢を弱い力で容易に標的から取り外すことができる。
【００１１】
矢を強い力で一気に取り外すと、反動でその矢が標的から勢い良く飛び跳ねてしまい、その結果、矢の取り扱いが困難になったり、矢が損傷する等といった問題が発生する。しかしながら、本発明のように弱い力で矢を取り外すことができれば、矢を緩やかに標的から取り外すことができ、しかも矢を損傷することもない。
【００１２】
次に、本発明に係る標的装置は、後方に引っ張る引張り部材を有する矢と、該矢が取り外し可能に結合する標的とを有する標的装置において、前記標的は、前記矢が結合する矢結合面を有し、前記矢結合面は前記矢が前記引張り部材によって後方に引かれたときにその方向に傾斜移動可能であることを特徴とする。この構成によれば、標的に結合した矢を引張り部材によって後方へ引っ張るとき、標的の矢結合面が矢によって引かれて傾斜移動し、その結果、標的と矢との間の結合が矢結合面の傾斜移動に従って端縁部分から徐々にめくりはがされて行く。従って、両者の結合面の全体を直角方向から一気に引っ張る場合に比べて、矢を弱い力で簡単に取り外すことができる。
【００１３】
矢結合面を傾斜移動可能にするための構造は種々考えられる。例えば、矢結合面を蝶番によって支持することができる。また、矢結合面それ自体を傾斜移動可能な材料、例えば、布、ゴム等によって形成しても良い。
【００１４】
次に、本発明に係る標的装置において、前記標的は、矢結合面を非傾斜状態、すなわち平面状態に保持する矢結合面保持手段を有することが望ましい。この矢結合面保持手段としては、例えば、磁力で保持する磁石や、スプリング等の弾性力によって保持する弾性保持機構や、それらを組み合わせた機構等が考えられる。
【００１５】
【発明の実施の形態】
図１は、本発明に係る標的用の矢及び標的を用いた標的装置の一実施形態を抽選ゲーム装置に適用した場合の実施形態を示している、この抽選ゲーム装置は、筐体１の上面に設けられたゲームフィールド４と、そのゲームフィールド４を覆う透明カバー３と、ゲームフィールド４を囲むようにして筐体１の周囲に設けられた複数個例えば６個の投票ステージ２ａ，２ｂ，２ｃ，２ｄ，２ｅ，２ｆとを有している。各投票ステージ２ａ〜２ｆには、それぞれ、メダル投入口１３及びメダル取出口１６が設けられる。
【００１６】
ゲームフィールド４の中には、複数台例えば３台の矢発射装置２８ａ，２８ｂ，２８ｃが並べて配置され、そして各矢発射装置に対向して円盤状の標的２９ａ，２９ｂ，２９ｃが設置される。各矢発射装置２８ａ〜２８ｃは、矢を個別のタイミングで発射する。また、標的２９ａ〜２９ｃは、図２に示すように、カップリング６によってモータ９の出力軸に連結された回転軸１１の先端に固定されている。モータ９を作動することにより、標的２９ａ〜２９ｃが回転する。
【００１７】
各標的２９ａ〜２９ｃは、図３に示すように、円形状の基板８と、その基板８上に放射状に並べられた概ね三角形状の複数個例えば６個の矢結合面板７とを有する。各矢結合面板７は、蝶番１２によって基板８に対して傾斜移動可能に取り付けられ、さらに基板８の中央部分に固定した磁石１４に吸着する。磁石１４の磁力は、各標的２９ａ〜２９ｃがモータ９（図２）によって駆動されて回転するとき、矢結合面板７が遠心力によって基板８から離れる方向へ開き移動、すなわち傾斜移動しようとしてもそれを阻止できる程度の大きさ以上に設定される。なお、蝶番１２にスプリング等の弾性部材を付設しておき、矢結合面板７を予め基板８方向へ押し付けるようにしても良い。
【００１８】
一般に、２つの部材を面状に結合する手段として面ファスナーと呼ばれるものがある。この面ファスナーは、例えば、多数の引掛け用毛状部材を面状に配列した引掛け面と、それらの引掛け用毛状部材が引掛かる多数の受け用毛状部材を面状に配列した受け面とによって構成することができる。本実施形態では、各矢結合面板７の表面の全域に面ファスナーの受け面５ｂを固着する。また、各矢結合面板７には、１〜６の数字がそれぞれ１個づつ書き込まれる。
【００１９】
図２において、矢発射装置２８ａ〜２８ｃは、カバー１７及びそのカバー１７の中に格納された発矢筒１８を有している。符号１９は模型人形である。発矢筒１８はその内部に矢発射機構、例えばスプリングを用いた矢発射機構（図示せず）が配設され、その矢発射機構の作用によって矢２１が空中へ発射される。
【００２０】
矢２１は、図５に示すように、内部が中空である第１矢部材２２と、その中空部分に収容された第２矢部材２３とを有している。図６に示すように、第１矢部材２２の中空部の適所には隔壁２４が設けられ、第２矢部材２３の小径部２３ｂがその隔壁２４を貫通している。第２矢部材２３は、矢印Ａ−Ａ’で示すように第１矢部材２２に対して相対的に移動でき、しかし、大径部２３ａが隔壁２４に当たった所でその移動が阻止される。つまり、第２矢部材２３は小径部２３ｂの長さ範囲内で往復直線移動できる。第１矢部材２２の先端及び第２矢部材２３の先端には、面ファスナーの引掛け面５ａが固着される。
【００２１】
第２矢部材２３の後端には引張り部材としての紐状部材２５が連結される。この紐状部材２５は、図２において、発矢筒１８の中を貫通し、さらに導管２６を通った後に巻取り装置２７によって巻き取られる。
【００２２】
以下、上記構成より成る抽選ゲーム装置の動作について説明する。
まず、図１において、各投票ステージ２ａ〜２ｆの空いている所にプレイヤが立ち、メダル投入口１３から適宜枚数のメダルを投入する。そしてさらに、ボタン操作、スイッチング操作、その他適宜の操作を行って３桁の数字を投票する。その後、標的２９ａ〜２９ｃがモータ９（図２）によって駆動されて適宜の時間間隔で順々に回転する。そして、各矢発射装置２８ａ〜２８ｃから矢２１が適宜の時間間隔で順々に発射される。
【００２３】
発射された矢２１は、空中を飛翔した後に対応する標的に到達し、面ファスナーの引掛け面５ａ（図５）と受け面５ｂ（図３）との結合によっていずれか１つの矢結合面板７に結合する。３個の矢２１が３個の標的２９ａ〜２９ｃのいずれの矢結合面板７に結合したかによって、３桁の数字が抽選によって決定される。こうして決められた数字が、プレイヤによって先に投票された数字に合致すると当選となり、賞品として所定枚数のメダルがプレイヤに与えられる。プレイヤは獲得したメダルを希望するときにメダル取出口１６から取り出すことができる。
【００２４】
１回の抽選処理が終了すると、次回の抽選処理に備えるため、各標的２９ａ〜２９ｃから矢２１を取り外す必要がある。この場合には、図２において、巻取り装置２７を作動して紐状部材２５を巻き取って矢２１を後方へ引っ張る。すると、図４に矢印Ｂで示すように、まず、矢２１が固着した矢結合面板７が蝶番１２を中心として基板８から離れる方向へ傾斜移動する。そして、その傾斜移動の間又は傾斜移動の終了後、紐状部材２５によって直接的に引っ張られる第２矢部材２３の先端に設けた面ファスナーの引掛け面５ａ（図５）が、矢結合面板７に設けた面ファスナーの受け面５ｂ（図３）から外れる。
【００２５】
矢結合面板７から外れた第２矢部材２３を紐状部材２５によってさらに引っ張ると、第２矢部材２３が隔壁２４（図６）を通して第１矢部材２２を後方へ引っ張る。その結果、第１矢部材２２の先端に設けた面ファスナーの引掛け面５ａ（図５）が、矢結合面板７に設けた面ファスナーの受け面５ｂから外れ、これにより、矢２１の全体が矢結合面７から取り外される。こうして取り外された矢２１は、図２において、発矢筒１８の内部へ回収されて次回の発射までそこに待機する。
【００２６】
以上の矢の取り外し作業では、矢２１を引っ張ったときに矢結合面板７が蝶番１２を中心として傾斜移動するので、面ファスナーが端縁部分から徐々に剥がされることになり、よって、面ファスナーを結合面の全域で一気に剥がす場合に比べて、より小さな力で容易に矢２１を標的２９ａ〜２９ｃから剥がすことができる。
【００２７】
また、第２矢部材２３を始めに標的２９ａ〜２９ｃから剥がし、引き続いて第１矢部材２２を標的２９ａ〜２９ｃから剥がすというように、広い面積の結合面を小さい面積に区分して段階的に剥がすようにしたので、広い面積の結合面を一気に剥がす場合に比べて、より小さな力で容易に矢２１を標的２９ａ〜２９ｃから剥がすことができる。
【００２８】
以上、好ましい実施形態を挙げて本発明を説明したが、本発明はその実施形態に限定されるものではなく、請求の範囲に記載した発明の範囲内で種々に改変可能である。
例えば、本発明に係る矢及び標的は、上記説明の抽選ゲーム装置以外の任意の装置に適用できる。例えば、ゲーム要素を有しない単なる抽選装置に適用することもできる。また、矢２１を標的２９ａ〜２９ｃに結合させるための方法は、面ファスナーに限られず、磁石とそれに吸着する磁性材料とを用いて構成される磁性留め具や、吸盤とそれが吸着可能な吸着面とを用いて構成される吸盤留め具等といった各種の留め具を用いることもできる。また、図１の実施形態では、標的及び矢をそれぞれ３個設けたが、それらの数は３個以外の任意の数にすることができる。
【００２９】
また、上記実施形態では、２つの矢部材２２及び２３を用いて矢を構成する技術及び標的の矢結合面板を傾斜移動可能に設置するという技術の両方を組み合わせたが、これらの技術はそれぞれ単独に用いたとしても、矢２１を標的から剥がすための力を小さくするという目的を十分に達成できる。また、矢を構成する矢部材は２個に限られず、３個以上としても良い。また、図５の実施形態では、第１矢部材２２の内部に第２矢部材２３を配設したが、これらの矢部材をそれぞれの外部に並列に配置することもできる。
【００３０】
【発明の効果】
請求項１記載の標的用の矢によれば、結合部材の全体の面積を大きくすることによって標的に対する矢の結合力を強く設定した場合でも、結合面を小面積に分割して段階的に結合力を解除することにより、小さな力で矢を標的から容易に取り外すことができる。
【００３１】
請求項２記載の標的用の矢によれば、結合部材の結合及び取り外しを多数回繰り返してもその結合部材が壊れることが少ない。また、結合部材を軽量に構成できるので、矢の安定性が乱れることがない。
【００３２】
請求項４記載の標的装置によれば、結合部材の結合状態を結合面の端縁部分から徐々に剥がすことができるので、標的に対する矢の結合力を強く設定した場合でも、小さな力で矢を標的から容易に取り外すことができる。
【００３３】
請求項５記載の標的装置によれば、矢結合面を非傾斜状態、すなわち平面状態に強く保持できるので、標的が回転その他の移動を行う場合でも、矢結合面を安定に保持できる。
【００３４】
請求項６記載の標的装置によれば、矢と標的の結合を段階的に解除する技術と、標的の矢結合面を傾斜移動させる技術とを組み合わせたことにより、標的からの矢の取り外しがより一層容易になった。
【００３５】
【図面の簡単な説明】
【図１】本発明に係る矢及び標的を用いた抽選ゲーム装置を示す斜視図である。
【図２】図１の抽選ゲーム装置の内部構造を示す側面断面図である。
【図３】本発明に係る標的の一実施形態を示す正面図である。
【図４】図３の標的の動作状態を示す側面断面図である。
【図５】本発明に係る矢の一実施形態を示す斜視図である。
【図６】図５に示す矢の断面構造を示す斜視図である。
【符号の説明】
１      筐体
２ａ，２ｂ，２ｃ，２ｄ，２ｅ，２ｆ    投票ステージ
５ａ    面ファスナーの引掛け面
５ｂ    面ファスナーの受け面
７      矢結合面板
８      基板
１２      蝶番
１４      磁石
２１      矢
２２      第１矢部材
２３      第２矢部材
２３ａ    第２矢部材の大径部
２３ｂ    第２矢部材の小径部
２４      隔壁部材
２５      紐状部材（引張り部材）
２７      巻取り装置
２８ａ，２８ｂ，２８ｃ    矢発射装置
２９ａ，２９ｂ，２９ｃ    標的
【図１】
0003702915.tif 000002
【図２】
0003702915.tif 000003
【図３】
0003702915.tif 000004
【図４】
0003702915.tif 000005
【図５】
0003702915.tif 000006
【図６】
0003702915.tif 000007